(57)【特許請求の範囲】
【請求項１】
貯蔵室を開閉する扉に保持される収納ケースが前記扉とともに引き出される冷蔵庫において、前記扉の左右の端部からそれぞれ後方に延びて前記収納ケースを支持するフレームと、前記フレームの後部に形成されるとともに前記貯蔵室の側壁に面して開口する前後に延びた案内溝と、前記案内溝内を前後にスライドするスライダと、前記スライダの後部に水平軸で軸支される移動ローラと、前記貯蔵室の側壁に前後に延びて突設されて前記移動ローラを案内する固定レールとを備えたことを特徴とする冷蔵庫。
【請求項２】
左右の前記スライダを連結する連結部材を設けたことを特徴とする請求項１に記載の冷蔵庫。
【請求項３】
前記移動ローラの下端が前記スライダよりも下方に配されることを特徴とする請求項１または請求項２に記載の冷蔵庫。
【請求項４】
前方へ移動する前記移動ローラを係止するとともに後方へ移動する前記移動ローラにより弾性変形するストッパを設けたことを特徴とする請求項１〜請求項３のいずれかに記載の冷蔵庫。
【請求項５】
前記貯蔵室の側壁の前端に水平軸で軸支される固定ローラと、前記フレームに設けられて前記固定ローラに案内される移動レールとを備え、前記固定レールは前記移動ローラを嵌合する平行な上レールと下レールとを有することを特徴とする請求項１〜請求項４のいずれかに記載の冷蔵庫。
【請求項６】
前記案内溝に接して転動する中間ローラを前記スライダに設けたことを特徴とする請求項１〜請求項５のいずれかに記載の冷蔵庫。
【発明の詳細な説明】
【技術分野】
【０００１】
本発明は、貯蔵室を開閉する扉とともに収納ケースを出し入れできる冷蔵庫に関する。
【背景技術】
【０００２】
従来の冷蔵庫は特許文献１に開示されている。この冷蔵庫は貯蔵室の前面を開閉する扉を有し、貯蔵物を収納する収納ケースが扉に一体に設けられる。扉には扉と一体に移動する移動レールが左右の端部から後方に延びて設けられ、移動レールにより収納ケースが支持される。また、移動レールは収納ケースの奥行と略同じ長さに形成される。
【０００３】
貯蔵室の両側壁には固定レールが設けられる。固定レールは上面を開口した断面コ字型に形成され、中間走行レールの下部が挿入される。固定レールと中間走行レールとの間には複数の回転自在のボールが両側部及び下部に設けられ、ころがり軸受が構成される。これにより、中間走行レールが固定レールに対して前後に摺動自在に支持される。
【０００４】
移動レールは下面を開口した断面コ字型に形成され、中間走行レールの上部が挿入される。移動レールと中間走行レールとの間には複数の回転自在のボールが両側部及び上部に設けられ、ころがり軸受が構成される。これにより、中間走行レールが移動レールに対して前後に摺動自在に支持される。
【０００５】
扉を引くと収納ケースとともに移動レールは中間走行レールの前部に設けたストッパに係止されるまで中間走行レールに対して前方に移動することができる。中間走行レールは固定レールの前部に設けたストッパに係止されるまで固定レールに対して前方に移動することができる。このため、扉は収納ケースの奥行よりも長い距離を移動することができる。従って、扉の引出し量が大きく、貯蔵室から引き出される収納ケースの上面開口部を広い範囲で視認することができる。
【０００６】
【特許文献１】特開２００６−１７７６５４号公報（第３頁−第２２頁、第１図）
【発明の開示】
【発明が解決しようとする課題】
【０００７】
しかしながら、上記従来の冷蔵庫によると、ボールによるころがり軸受によって扉の移動機構が構成されるため、小径のボールが摺動により摩耗すると円滑な移動ができなくなる。このため、錆の発生しない金属製のボールを用いたころがり軸受を前後の移動方向全体に亙って構成する必要があり、扉の移動機構を含む冷蔵庫が高価になる問題があった。
【０００８】
また、中間走行レールの両側面がボールを介して固定レール及び移動レールによって覆われる。このため、移動機構が左右方向に大きくなり、貯蔵室の収納容積が狭くなる問題もあった。
【０００９】
本発明は、扉の引出し量が大きく、安価で収納容積を広くできる冷蔵庫を提供することを目的とする。
【課題を解決するための手段】
【００１０】
上記目的を達成するために本発明は、貯蔵室を開閉する扉に保持される収納ケースが前記扉とともに引き出される冷蔵庫において、前記扉の左右の端部からそれぞれ後方に延びて前記収納ケースを支持するフレームと、前記フレームの後部に形成されるとともに前記貯蔵室の側壁に面して開口する前後に延びた案内溝と、前記案内溝内を前後にスライドするスライダと、前記スライダの後部に水平軸で軸支される移動ローラと、前記貯蔵室の側壁に前後に延びて突設されて前記移動ローラを案内する固定レールとを備えたことを特徴としている。
【００１１】
この構成によると、収納ケースは扉の左右から後方に延びるフレームにより支持され、扉と一体に移動する。フレームの後部に設けた案内溝にはスライダがスライド自在に設けられる。スライダの後部に軸支される移動ローラが固定レール上を転動して収納ケースが引き出される。所定位置で移動ローラが係止されるとスライダに対して案内溝を有するフレームがスライドし、収納ケースが更に引き出される。
【００１２】
また本発明は、上記構成の冷蔵庫において、左右の前記スライダを連結する連結部材を設けたことを特徴としている。この構成によると、フレームから後方に突出するスライダの左右位置が連結部材によって保持され、貯蔵室の側壁から離れる方向へのスライダの変形が防止される。
【００１３】
また本発明は、上記構成の冷蔵庫において、前記移動ローラの下端が前記スライダよりも下方に配されることを特徴としている。
【００１４】
また本発明は、上記構成の冷蔵庫において、前方へ移動する前記移動ローラを係止するとともに後方へ移動する前記移動ローラにより弾性変形するストッパを設けたことを特徴としている。
【００１５】
この構成によると、貯蔵室から脱着された扉を前方から貯蔵室内に挿入すると、移動ローラが固定レール上や貯蔵室の側壁等から突出するストッパを押圧する。これにより、ストッパが弾性変形してストッパの後方に移動ローラが配され、扉が装着される。扉を引き出すと移動ローラがストッパに当接して係止される。
【００１６】
また本発明は、上記構成の冷蔵庫において、前記貯蔵室の側壁の前端に水平軸で軸支される固定ローラと、前記フレームに設けられて前記固定ローラに案内される移動レールとを備え、前記固定レールは前記移動ローラを嵌合する平行な上レールと下レールとを有することを特徴としている。
【００１７】
この構成によると、移動ローラが下レール上を転動するとともに、フレームに設けた移動レールに接する固定ローラが回転して収納ケースが引き出される。所定位置で移動ローラが係止されるとスライダに対してフレームが移動するとともに固定ローラが回転して収納ケースが更に引き出される。また、引き出された収納ケース内の貯蔵物の重量により前部が下がって回動する扉は移動ローラが上レールに当接して係止される。
【００１８】
また本発明は、上記構成の冷蔵庫において、前記案内溝に接して転動する中間ローラを前記スライダに設けたことを特徴としている。
【発明の効果】
【００１９】
本発明によると、フレームに形成した案内溝内をスライドするスライダを設け、固定レールに案内される移動ローラをスライダの後部に設けたので、前後の移動方向全体に亙ってころがり軸受を構成する必要がなく簡単な構成で扉の引出し量を大きくとることができる。また、水平軸で軸支される移動ローラは径を大きくできるため摺動摩耗が少なく、移動ローラや固定レールを樹脂等によって安価に形成して冷蔵庫のコストを削減することができる。更に、案内溝が貯蔵室の側壁に面して開口し、固定レールが貯蔵室の側壁から突設されるため、扉の移動機構を左右方向に小さく構成することができる。従って、貯蔵室の収納容積を広くすることができる。
【００２０】
また本発明によると、左右のスライダを連結する連結部材を設けたので、フレームから後方に突出するスライダの左右の間隔が連結部材によって維持される。これにより、貯蔵室の側壁から離れる方向にスライダが変形しないため、移動ローラの脱落を防止して扉を円滑に引き出すことができる。
【００２１】
また本発明によると、移動ローラの下端がスライダよりも下方に配されるので、スライダを固定レールと干渉させずに移動ローラの移動面内に配置することができる。従って、扉の移動機構の左右方向の幅をより狭くすることができる。
【００２２】
また本発明によると、前方へ移動する移動ローラを係止して後方へ移動する移動ローラにより弾性変形するストッパを設けたので、扉を容易に装着することができる。
【００２３】
また本発明によると、貯蔵室の側壁の前端に固定ローラを設けて固定ローラに案内される移動レールをフレームに設け、固定レールが上レール及び下レールを有するので、前後に離れた固定ローラと移動ローラにより扉を支持し、扉の回動を防止することができる。
【００２４】
また本発明によると、案内溝に接して転動する中間ローラをスライダに設けたので、扉をより円滑に引き出すことができる。
【発明を実施するための最良の形態】
【００２５】
以下に本発明の実施形態を図面を参照して説明する。図１、図２は一実施形態の冷蔵庫を示す正面図及び側面断面図である。冷蔵庫１は上部に貯蔵物を冷蔵保存する冷蔵室２が設けられる。冷蔵室２の前面は回動式の扉７により開閉される。
【００２６】
冷蔵室２の下方には温度切替室３及び製氷室４が左右に並設される。温度切替室３は貯蔵物に応じて室内温度を切り替えることができる。温度切替室３の前面は回動式の扉８により開閉される。製氷室４は製氷部４ａにより製氷を行い、貯氷ケース４ｂに保存する。製氷室４の前面は貯氷ケース４ｂと一体にスライド移動する扉９により開閉される。
【００２７】
温度切替室３及び製氷室４の下方には貯蔵物を冷凍保存する冷凍室５が設けられる。冷凍室５の下方には冷蔵室２よりも高い室内温度で野菜を保存する野菜室６が設けられる。冷凍室５及び野菜室６内には貯蔵物を収納する収納ケース１２、１３が設けられる。冷凍室５及び野菜室６の前面はそれぞれ収納ケース１２、１３と一体にスライド移動する扉１０、１１により開閉される。
【００２８】
図３、図４は冷凍室５及び野菜室６の詳細を示す正面図及び側面断面図である。冷凍室５の両側壁５ａには扉１０をスライド移動させる移動機構２０が設けられる。同様に、野菜室６の両側壁６ａには扉１１をスライド移動させる移動機構２１が設けられる。
【００２９】
図５は移動機構２０の側面図を示し、図６は図５のＡ−Ａ断面図を示している。尚、移動機構２１も同様に構成される。移動機構２０は冷凍室５の側壁５ａに取り付けられる固定レール２２と、扉１０に取り付けられるフレーム２３とを有している。収納ケース１２はフレーム２３の上面に係止して扉１０と一体化される。また、フレーム２３は収納ケース１２の奥行に略等しい長さに形成される。
【００３０】
固定レール２２は収納ケース１２側が開口した断面コ字型に形成され、側壁５ａ側から突出した前後に延びる平行な上レール２２ａ及び下レール２２ｂを有している。上レール２２ａと下レール２２ｂの間に後述する移動ローラ２７が嵌合する。また、固定レール２２は側壁５ａに平行な面に前側が繋がった切り起こしから成るストッパ３１が設けられる。切り起こしによるストッパ３１を上レール２２ａまたは下レール２２ｂに設けてもよい。
【００３１】
フレーム２３の下方後部には側壁５ａ側が開口する断面コ字型の案内溝２４が形成される。案内溝２４には前後に延びるスライダ２６がボール２４ａを介して配され、ボール２４ａの転がりによってスライダ２６が案内溝２４内を前後にスライド自在になっている。スライダ２６の後部には水平軸を有する移動ローラ２７が軸支される。移動ローラ２７は固定レール２２の上レール２２ａと下レール２２ｂとの間に嵌合し、下レール２２ｂ上を転動する。
【００３２】
フレーム２３の上部には前後に延びて側壁５ａ側に突出する移動レール２５が形成される。移動レール２５の後方には移動レール２５よりも下方に配されたストッパ３２が設けられる。また、側壁５ａの前端には水平軸を有する固定ローラ２８が取り付けられる。固定ローラ２８は移動レール２５の下面に接し、固定ローラ２８の回転によって固定ローラ２８に接した移動レール２５が前後に案内される。
【００３３】
図７はスライダ２６の上面図を示している。左右のスライダ２６は後端で連結部材３０により連結される。これにより、左右のスライダ２６の間隔が一定に保持される。
【００３４】
上記構成の移動機構２０において、冷蔵室５から脱着された扉１０は前方からストッパ３２が固定ローラ２８の上方を跨ぎ、移動ローラ２７が固定レール２２の上レール２２ａと下レール２２ｂとの間に挿入される。扉１０を押し込むと移動レール２５が固定ローラ２８に沿ってスライドし、移動ローラ２７が固定レール２２に沿ってスライドする。切り起こしから成るストッパ３１は移動ローラ２７の当接により後側が側壁５ａの方向に弾性変形し、移動ローラ２７がストッパ３１の後方に配される。更に扉１０を押し込むと冷蔵室５が閉じられる。
【００３５】
閉じられた扉１０を引くと移動ローラ２７が固定レール２２の下レール２２ｂ上を転動するとともに、移動レール２５に接した固定ローラ２８が回転する。これにより、収納ケース１２が円滑に引き出される。移動ローラ２７がストッパ３１に当接して係止されると、図８、図９に示すように、スライダ２６と案内溝２４が摺動してフレーム２３がスライダ２６に対して前方にスライドする。これにより、収納ケース１２が更に引き出され、ストッパ３２が固定ローラ２８に当接して移動が停止される。従って、収納ケース１２を大きく引き出して、上面開口部を広く視認することができる。
【００３６】
扉１０を引き出すと収納ケース１２内の貯蔵物の重量によってフレーム２３の前部が下方に荷重を受け、移動ローラ２７が上方に荷重を受ける。この時、移動ローラ２７が取り付けられるスライダ２６はボール２４ａを介して案内溝２４に保持され、回動が規制される。また、固定ローラ２８を支点として移動ローラ２７は固定レール２２の上レール２２ａに当接する。これにより、前後に離れた固定ローラ２８と移動ローラ２７により扉１０を支持し、扉１０の回動を防止することができる。
【００３７】
本実施形態によると、フレーム２３に形成した案内溝２４内をスライドするスライダ２６を設け、固定レール２２に案内される移動ローラ２７をスライダ２６の後部に設けたので、前後の移動方向全体に亙ってころがり軸受を構成する必要がなく簡単な構成で扉１０の引出し量を大きくとることができる。
【００３８】
また、水平軸で軸支される移動ローラ２７は径を大きくできるため摺動摩耗が少なく、移動ローラ２７や固定レール２２を樹脂等によって安価に形成して冷蔵庫１のコストを削減することができる。
【００３９】
更に、案内溝２４が冷蔵室５の側壁５ａに面して開口し、固定レール２２の上レール２２ａ及び下レール２２ｂが冷凍室５の側壁５ｂから突設されるため、扉１０の移動機構２０を左右方向に小さく構成することができる。従って、冷凍室５の収納容積を広くすることができる。扉１１の移動機構２１も同様に構成されるため、扉１１の引出し量を大きくし、野菜室６の収納容積を広くすることができる。
【００４０】
また、左右のスライダ２６を連結する連結部材３０を設けたので、フレーム２３から後方に突出するスライダ２６の左右の間隔が連結部材３０によって維持される。これにより、冷蔵室５や野菜室６の側壁５ａ、６ａから離れる方向にスライダ２６が変形しないため、移動ローラ２７の脱落を防止して扉１０、１１を円滑に引き出すことができる。
【００４１】
また、移動ローラ２７はスライダ２６の高さよりも大きな径に形成される。これにより、移動ローラ２７の下端がスライダ２６よりも下方に配され、スライダ２６を固定レール２２と干渉させずに移動ローラ２７の移動面内に配置することができる。従って、扉１０、１１の移動機構２０、２１の左右方向の幅をより狭くすることができる。
【００４２】
本実施形態において、ボール２４ａを省いて案内溝２４にスライダ２６を嵌合してスライダ２６を摺動自在に形成してもよい。これにより、移動機構２０、２１をより簡単に形成することができる。また、図１０に示すように、案内溝２４の上下の壁面の一方または両方に接して転動する中間ローラ３３をスライダ２６に設けてもよい。これにより、移動機構２０、２１をより簡単に形成できるとともに扉１０、１１を円滑に引き出すことができる。
【産業上の利用可能性】
【００４３】
本発明によると、貯蔵室を開閉する扉とともに収納ケースを出し入れできる冷蔵庫に利用することができる。
【図面の簡単な説明】
【００４４】
【図１】本発明の実施形態の冷蔵庫を示す正面図
【図２】本発明の実施形態の冷蔵庫を示す側面断面図
【図３】本発明の実施形態の冷凍室及び野菜室の詳細を示す正面図
【図４】本発明の実施形態の冷凍室及び野菜室の詳細を示す側面断面図
【図５】本発明の実施形態の冷蔵庫の扉の移動機構を示す側面図
【図６】図５のＡ−Ａ断面図
【図７】本発明の実施形態の冷蔵庫の扉の移動機構のスライダを示す上面図
【図８】本発明の実施形態の冷蔵庫の扉の移動機構の扉を引き出した状態を示す側面図
【図９】本発明の実施形態の冷蔵庫の扉の移動機構の扉を引き出した状態を示す上面図
【図１０】本発明の実施形態の冷蔵庫の扉の移動機構のスライダの他の態様を示す側面図
【符号の説明】
【００４５】
１    冷蔵庫
２    冷蔵室
３    温度切替室
４    製氷室
５    冷凍室
６    野菜室
７〜１１  扉
１２、１３  収納ケース
２０、２１  移動機構
２２    固定レール
２２ａ  上レール
２２ｂ  下レール
２３    フレーム
２４    案内溝
２５    移動レール
２６    スライダ
２７    移動ローラ
２８    固定ローラ
３１、３２  ストッパ
３３    中間ローラ
【図１】
0004644699.tif 000002
【図２】
0004644699.tif 000003
【図３】
0004644699.tif 000004
【図４】
0004644699.tif 000005
【図５】
0004644699.tif 000006
【図６】
0004644699.tif 000007
【図７】
0004644699.tif 000008
【図８】
0004644699.tif 000009
【図９】
0004644699.tif 000010
【図１０】
0004644699.tif 000011